(57)【要約】【課題】全検索時には数字や記号が名前の頭文字に付加されて登録されたものを優先表示し、時短検索時には頭文字として付加された数字や記号を除いた本来の名前として検索され表示される電話帳検索機能を提供する。【解決手段】操作入力キー３０が操作されると、全検索／時短検索判別手段１４５が、全検索と時短検索のいずれの操作であるかを判別し、全検索操作の場合には、全検索手段１３０が電話帳データベース１２０中の名前の上位桁の文字を参照して名前を昇順又は降順に並べ替えて表示手段２０に表示し、操作が時短検索操作の場合には、時短検索手段１４０が電話帳データベース１２０中の名前の上位桁の文字を参照して、所定の文字を上位桁に有する名前と、前記上位桁の文字として数字や記号が使用されている名前の場合には順次次位桁を参照して数字や記号以外の所定の文字を有する名前と、を抽出して並べ替えて表示手段２０に表示する。【選択図】図２
2009200590.tif 000002
【特許請求の範囲】
【請求項１】
数字及び文字の入力並びに操作設定を行うための操作入力キーと、表示手段と、名前及び電話番号を含む電話帳データベースを記憶した記憶手段と、制御部と、全検索手段と、時短検索手段と、全検索／時短検索判別手段とを備えた電話帳検索機能を有する電子機器において、
前記操作入力キーが操作されると、全検索／時短検索判別手段は、前記操作が全検索と時短検索のいずれの操作であるかを判別し、前記操作が全検索操作の場合には、前記全検索手段が前記電話帳データベース中の名前の上位桁の文字を参照して前記名前を昇順又は降順に並べ替えて前記表示手段に表示し、前記操作が時短検索操作の場合には、前記時短検索手段が前記電話帳データベース中の名前の上位桁の文字を参照して、所定の文字を上位桁に有する名前と、前記上位桁の文字として数字や記号が使用されている名前の場合には順次次位桁を参照して数字や記号以外の所定の文字を有する名前と、を抽出して並べ替えて前記表示手段に表示することを特徴とする電話帳検索機能を有する電子機器。
【請求項２】
前記操作入力キーは矢印キーと、電話帳検索キーと、数字又は文字入力用のダイヤルキーと、を含み、前記全検索／時短検索判別手段は、前記矢印キー又は電話帳検索キーが押圧された場合に前記操作が全検索操作であると判別し、ダイヤルキーが所定期間継続して押圧された場合に前記操作が時短検索操作であると判別することを特徴とする請求項１に記載の電話帳検索機能を有する電子機器。
【請求項３】
前記時短検索手段は、前記押圧されたダイヤルキーに対応する文字を上位桁に有する名前と、前記上位桁の文字として数字や記号が使用されている名前の場合には順次次位桁を参照して数字や記号以外の前記押圧されたダイヤルキーに対応する文字を有する名前と、を抽出して並べ替えて対応する電話番号とともに前記表示手段に表示することを特徴とする請求項２に記載の電話帳検索機能を有する電子機器。
【請求項４】
前記全検索手段は、前記名前を、数字順、五十音順、アルファベット順、記号順、電話番号順に並べ替えて対応する電話番号とともに前記表示手段に表示することを特徴とする請求項１に記載の電話帳検索機能を有する電子機器。
【請求項５】
前記電子機器がコードレス電話機であることを特徴とする請求項１〜４に記載の電話帳検索機能を有する電子機器。
【請求項６】
数字及び文字の入力並びに操作設定を行うための操作入力キーと、表示手段と、名前及び電話番号を含む電話帳データベースを記憶した記憶手段と、制御部と、全検索手段と、時短検索手段と、全検索／時短検索判別手段とを備えた電話帳検索機能を有する電子機器における電話帳検索方法であって、
前記操作入力キーが操作されると、全検索／時短検索判別手段が、前記操作が全検索と時短検索のいずれの操作であるかを判別するステップと、
前記操作が全検索操作の場合には、前記全検索手段が前記電話帳データベース中の名前の上位桁の文字を参照して前記名前を昇順又は降順に並べ替えて対応する電話番号とともに前記表示手段に表示するステップと、
前記操作が時短検索操作の場合には、前記時短検索手段が前記電話帳データベース中の名前の上位桁の文字を参照して、所定の文字を上位桁に有する名前と、前記上位桁の文字として数字や記号が使用されている名前の場合には順次次位桁を参照して数字や記号以外の所定の文字を有する名前と、を抽出して並べ替えて対応する電話番号とともに前記表示手段に表示するステップと、を備えることを特徴とする電話帳検索方法。
【請求項７】
前記操作入力キーは矢印キーと、電話帳検索キーと、数字又は文字入力用のダイヤルキーと、を含み、前記全検索／時短検索判別手段における判別ステップにおいて、前記矢印キー又は電話帳検索キーが押圧された場合に前記操作が全検索操作であると判別し、ダイヤルキーが所定期間継続して押圧された場合に前記操作が時短検索操作であると判別することを特徴とする請求項６に記載の電話帳検索方法。
【請求項８】
前記時短検索手段は、前記押圧されたダイヤルキーに対応する文字を上位桁に有する名前と、前記上位桁の文字として数字や記号が使用されている名前の場合には順次次位桁を参照して数字や記号以外の前記押圧されたダイヤルキーに対応する文字を有する名前と、を抽出して並べ替えて対応する電話番号とともに前記表示手段に表示することを特徴とする請求項７に記載の電話帳検索方法。
【請求項９】
前記全検索手段は、前記名前を、数字順、五十音順、アルファベット順、記号順、電話番号順に並べ替えて対応する電話番号とともに前記表示手段に表示することを特徴とする請求項６に記載の電話帳検索方法。
【請求項１０】
前記電話帳検索機能を有する電子機器がコードレス電話機であることを特徴とする請求項６〜９に記載の電話帳検索方法。
【発明の詳細な説明】
【技術分野】
【０００１】
本発明は、多数の通話先の名前及び電話番号等を登録する電話帳機能とその検索機能を有する電子機器、及びその電話帳検索方法に関し、特に、電話帳の全検索機能と時短検索機能を備えた電子機器に関する。
【背景技術】
【０００２】
携帯電話機、コードレス電話機等の電話機は一般に電話帳機能を有している。この電話帳には、通話先の名前、よみ仮名、電話番号、及びその他の情報が多数登録されており、ユーザはこの電話帳を参照して自分が電話をかけたい通話先を特定して番号を呼出し、発信を行うことができる。これによりユーザは通話先の名前を指定するだけで、番号を直接電話機に入力せずとも容易に番号を特定して発信することが可能となる。
【０００３】
ところで、この電話機における電話帳の検索方法として、全検索と時短検索がある。全検索は、電話機に設けられた電話帳検索キーや矢印キーを押圧することによって実行されるが、これらのキーを押すと、電話帳中のデータの一覧が並べ替えられて表示される。例えば、電話機に設けられた下向きの矢印キーを押圧すると、電話帳に登録されている名前の頭文字（上位桁）がまず数字であるデータが昇順に並べ替えられて表示され、矢印キーをさらに押し続けてゆくと、名前の頭文字が仮名或いは日本語で登録されているデータが五十音順に並べ替えられて表示され、次いで名前の頭文字がアルファベットで登録されているものが順に並べ替えられて表示され、さらに頭文字が記号のものが順次表示され、最後に、名前が登録されておらず電話番号のみが登録されているものが順次表示され、こうして電話帳の全てのデータが所定の順序で表示されるようになっている。電話帳の全てのデータが表示された後も引き続き下向きの矢印キーが押し続けられると、もう一度最初に戻って数字順に名前が表示されるようになっている。上向きの矢印キーを押圧すると、上記とは反対の順序でデータが並べ替えられて表示されるようになっている。
【０００４】
この全検索においては、登録された名前の頭文字（上位桁）に数字のものがあればそれが優先的に表示されるようになる。このことを利用して、例えば、日本語（仮名）の名前の先頭に数字を付加して電話帳に登録すると、全検索を行った際に、数字が付加された名前が常に優先して表示されるようになる。従って、通話頻度の高い通話先についてこのような数字を付加した設定を行えば、迅速に検索を行うことが可能となり、ユーザにとって利便性が高まる。
【０００５】
一方、時短検索は、できるだけ少ないキー操作で目的とする名前を呼出すものである。これは、電話機に設けられたダイヤルキーを五十音等に対応させておき、ダイヤルキーを押圧すると、押圧されたダイヤルキーに対応する文字を頭文字とする名前が電話帳から抽出されて表示されるものである。
【０００６】
この時短検索の一つが下記特許文献１（特開２０００−２２７９７号公報）に開示されている。下記特許文献１では、携帯電話端末において登録された相手先を呼出すに際して、携帯電話端末に設けられたテンキー（ダイヤルキー）を操作して、相手先名の頭文字に属する五十音のア〜ワ行にそれぞれ区分された行に相当するテンキーを入力し、さらにその行の中からア〜オ列にそれぞれ区分された列に相当するテンキーを入力することによって、所望の相手先名を迅速に検索することが可能となる。
【０００７】
具体例として、「キムラ」という相手先名とその電話番号検索する際に、ユーザは「カ」行に相当するテンキーの「２」を入力し、次いで「イ」列に相当するテンキーの「２」を入力する。これによって「キ」の文字が選択されたことになり、さらに、携帯電話端末に設けられた登録・参照専用キーを押すと、頭文字が「キ」で始まる氏名、例えば「キクチ」、「キタムラ」、「キムラ」が順次、表示され、さらに登録・参照専用キーを押すことによって迅速に「キムラ」の名前に到達することができる。
【特許文献１】特開２０００−２２７９７号公報
【発明の開示】
【発明が解決しようとする課題】
【０００８】
通常の電話機においては上述した全検索と時短検索の両方の検索機能を備えている。そのため、全検索の際に発信頻度の高い通話先が優先して表示されるように、登録する名前の頭文字に数字や記号を付加した場合には、上記のような時短検索の際に、ユーザが本来の名前の頭文字を入力しても、頭文字が数字や記号で登録されているためにその頭文字を有する名前として抽出されず、検索することが不可能となってしまうことがあった。時短検索において数字や記号が付加された名前を正しく検索するためには、ユーザは数字や記号を入力してはじめてそれらの名前を呼出すことができ、単に名前のみで登録したのか数字や記号を付加して登録したのか分からない場合には混乱を招いたり、検索に手間がかかったりする恐れがあった。
【０００９】
そこで、本発明は、電話帳の全検索時には、数字や記号（優先順位）が名前の頭文字に付加されて登録されたものが優先的に表示されるようにするとともに、時短検索時には、数字や記号（優先順位）が頭文字として付加されて登録されたものが、数字や記号を除いた本来の名前として抽出され表示されるようにすることを目的とする。
【課題を解決するための手段】
【００１０】
上記課題を解決するため、本発明は、数字及び文字の入力並びに操作設定を行うための操作入力キーと、表示手段と、名前及び電話番号を含む電話帳データベースを記憶した記憶手段と、制御部と、全検索手段と、時短検索手段と、全検索／時短検索判別手段とを備えた電話帳検索機能を有する電子機器において、前記操作入力キーが操作されると、全検索／時短検索判別手段は、前記操作が全検索と時短検索のいずれの操作であるかを判別し、前記操作が全検索操作の場合には、前記全検索手段が前記電話帳データベース中の名前の上位桁の文字を参照して前記名前を昇順又は降順に並べ替えて前記表示手段に表示し、前記操作が時短検索操作の場合には、前記時短検索手段が前記電話帳データベース中の名前の上位桁の文字を参照して、所定の文字を上位桁に有する名前と、前記上位桁の文字として数字や記号が使用されている名前の場合には順次次位桁を参照して数字や記号以外の所定の文字を有する名前と、を抽出して並べ替えて前記表示手段に表示することを特徴とする。
【００１１】
また、請求項２の発明は、請求項１にかかり、前記操作入力キーは矢印キーと、電話帳検索キーと、数字又は文字入力用のダイヤルキーと、を含み、前記全検索／時短検索判別手段は、前記矢印キー又は電話帳検索キーが押圧された場合に前記操作が全検索操作であると判別し、ダイヤルキーが所定期間継続して押圧された場合に前記操作が時短検索操作であると判別することを特徴とする。
【００１２】
また、請求項３の発明は、請求項２にかかり、前記時短検索手段は、前記押圧されたダイヤルキーに対応する文字を上位桁に有する名前と、前記上位桁の文字として数字や記号が使用されている名前の場合には順次次位桁を参照して数字や記号以外の前記押圧されたダイヤルキーに対応する文字を有する名前と、を抽出して並べ替えて対応する電話番号とともに前記表示手段に表示することを特徴とする。
【００１３】
また、請求項４の発明は、請求項１にかかり、前記全検索手段は、前記名前を、数字順、五十音順、アルファベット順、記号順、電話番号順に並べ替えて対応する電話番号とともに前記表示手段に表示することを特徴とする。
【００１４】
また、請求項５の発明は、請求項１〜４にかかり、前記電子機器がコードレス電話機であることを特徴とする。
【００１５】
また、請求項６の発明は、数字及び文字の入力並びに操作設定を行うための操作入力キーと、表示手段と、名前及び電話番号を含む電話帳データベースを記憶した記憶手段と、制御部と、全検索手段と、時短検索手段と、全検索／時短検索判別手段とを備えた電話帳検索機能を有する電子機器における電話帳検索方法であって、前記操作入力キーが操作されると、全検索／時短検索判別手段が、前記操作が全検索と時短検索のいずれの操作であるかを判別するステップと、前記操作が全検索操作の場合には、前記全検索手段が前記電話帳データベース中の名前の上位桁の文字を参照して前記名前を昇順又は降順に並べ替えて対応する電話番号とともに前記表示手段に表示するステップと、前記操作が時短検索操作の場合には、前記時短検索手段が前記電話帳データベース中の名前の上位桁の文字を参照して、所定の文字を上位桁に有する名前と、前記上位桁の文字として数字や記号が使用されている名前の場合には順次次位桁を参照して数字や記号以外の所定の文字を有する名前と、を抽出して並べ替えて対応する電話番号とともに前記表示手段に表示するステップと、を備えることを特徴とする。
【００１６】
また、請求項７にかかる発明は、請求項６にかかり、前記操作入力キーは矢印キーと、電話帳検索キーと、数字又は文字入力用のダイヤルキーと、を含み、前記全検索／時短検索判別手段における判別ステップにおいて、前記矢印キー又は電話帳検索キーが押圧された場合に前記操作が全検索操作であると判別し、ダイヤルキーが所定期間継続して押圧された場合に前記操作が時短検索操作であると判別することを特徴とする。
【００１７】
また、請求項８にかかる発明は、請求項７にかかり、前記時短検索手段は、前記押圧されたダイヤルキーに対応する文字を上位桁に有する名前と、前記上位桁の文字として数字や記号が使用されている名前の場合には順次次位桁を参照して数字や記号以外の前記押圧されたダイヤルキーに対応する文字を有する名前と、を抽出して並べ替えて対応する電話番号とともに前記表示手段に表示することを特徴とする。
【００１８】
また、請求項９にかかる発明は、請求項６にかかり、前記全検索手段は、前記名前を、数字順、五十音順、アルファベット順、記号順、電話番号順に並べ替えて対応する電話番号とともに前記表示手段に表示することを特徴とする。
【００１９】
また、請求項１０にかかる発明は、請求項６〜９にかかり、前記電話帳検索機能を有する電子機器がコードレス電話機であることを特徴とする。
【発明の効果】
【００２０】
本発明は、下記の優れた効果を奏する。すなわち、請求項１にかかる本発明の電話帳検索機能を有する電子機器によれば、この電子機器は電話帳の全検索機能と時短検索機能を有しており、全検索時には、電話帳データベース中の名前の上位桁の文字を参照して登録された名前を降順または昇順に並べ替えて対応する電話番号とともに表示手段に表示することができるようになる。また、時短検索の際には、ユーザによって指定された所定文字を上位桁に有する名前と、上位桁の文字として数字や記号が使用されている名前の場合にはそれらを無視して所定文字を次位桁に有する名前と、を抽出して電話番号とともに表示する。従って、全検索時において優先的に表示されるように名前の頭文字に数字や記号等を付加した名前を時短検索する場合に、その数字や記号を入力せず本来の名前の頭文字を入力すれば目的とする名前を検索することが可能となる。これによって、ユーザが単に名前のみで登録したのか数字や記号を付加して登録したのか分からない場合でも、混乱を招いたり、検索に手間がかかったりする恐れがなく、容易に電話帳の検索を行うことができるようになる。
【００２１】
また、請求項２にかかる発明によれば、電話帳検索機能を有する電子機器は矢印キーと電話帳検索キーとダイヤルキーとを含んでおり、矢印キーか電話帳検索キーがユーザによって押圧された場合には全検索を行い、ダイヤルキーが所定期間継続して押圧された場合には時短検索を行う。これにより、ユーザは容易に全検索と時短検索を選択して実行することができるようになる。
【００２２】
また、請求項３にかかる発明によれば、時短検索時において、ユーザによって押圧されたダイヤルキーに対応する文字を上位桁に有する名前と、上位桁の文字として数字や記号が使用されている名前の場合にはそれらの数字や記号を無視した場合のダイヤルキーに対応する文字を有する名前と、を抽出して並べ替えて表示することができる。これによって、登録した名前に数字や記号が付加されているような場合でも、時短検索をする際には数字や記号を除く本来の名前の頭文字に対応するダイヤルキーを押圧すれば、容易に目的とする名前を検索することができるようになる。
【００２３】
また、請求項４にかかる発明によれば、電話帳に登録された名前の上位桁に例えば数字を付加すれば、全検索時にその数字の付加された名前が優先的に表示されるようになる。
【００２４】
また、請求項５にかかる発明によれば、全検索時には特定の名前を優先的に表示できるとともに、ユーザが単に名前のみで登録したのか数字や記号を付加して登録したのか分からない場合でも確実に時短検索ができ、混乱を招いたり、検索に手間がかかったりする恐れがない電話帳の検索が可能なコードレス電話機を提供できる。
【００２５】
また、請求項６〜１０にかかる発明によれば、電話帳検索機能を有する電子機器において、請求項１〜５にかかる効果を奏する電話帳検索方法を提供することができる。
【発明を実施するための最良の形態】
【００２６】
以下、本発明の具体例を実施例及び添付の図面を用いて詳細に説明する。但し、以下に示す実施例は、本発明の技術思想を具体化するための電話帳検索機能を有するコードレス電話機及び電話帳検索方法を例示するものであって、本発明をこのコードレス電話機及び電話帳検索方法に特定することを意図するものではなく、特許請求の範囲に含まれるその他の実施形態の電話帳検索機能を有する電子機器及び電話帳検索方法にも等しく適用し得るものである。
【実施例】
【００２７】
図１を参照して本発明の実施例にかかるコードレス電話機１について説明する。図１は、本発明の実施例におけるコードレス電話機の正面図である。コードレス電話機１は、本体１０に表示手段としてのディスプレイ２０、操作入力キー３０、スピーカ４０、マイク５０、及び内部に制御回路等を備えて構成されている。
【００２８】
ディスプレイ２０には、ユーザが発信を行う際、及び通話中に通話先の電話番号を表示したり、通話時間等を表示したりする。また、コードレス電話機１に装備されている各種メニューを表示してユーザが選択できるようにしたり、本実施例における電話帳検索方法によって検索された電話帳又は登録先の一覧を表示したりする。
【００２９】
操作入力キー３０は、ディスプレイ２０の下方に設けられた円弧状の矢印キー３１、矢印キー３１の内側に設けられたメニュー／決定キー３２、矢印キー３１とメニュー／決定キー３２の下方に設けられた発信キー３３、通話終了キー３４、さらにそれらの下方に設けられたダイヤルキー３５、文字入力設定キー３６を備える。
【００３０】
矢印キー３１は上方向矢印キー３１1、下方向矢印キー３１2からなり、それぞれコードレス電話機１の機能の選択・設定や、電話帳の検索時に表示された登録先を選択・設定するために使用される。特に、待機状態のとき、矢印キー３１を押圧すると、電話帳の全検索が実行される。尚、これは後で詳細に説明する。
【００３１】
メニュー／決定キー３２は、コードレス電話機１に装備されている各種のメニューの表示を行わせるときや、矢印キー３１によって選択されているメニューや登録先を決定するために使用される。
【００３２】
発信キー３３及び通話終了キー３４は、ユーザが電話をかけるときに押圧するもので、電話をかける際には発信キー３３を押圧してからダイヤルキー３５を操作して通話先の電話番号を入力する。或いは、本発明の電話帳の検索によって通話先の電話番号が特定された際にこの発信キー３３を押圧してその通話先に発信することができる。ユーザは通話を終えたら通話終了キー３４を押して電話を切る。この通話終了キー３４を押圧することは固定電話機の受話器を置いてオンフック状態にすることに相当する。
【００３３】
ダイヤルキー３５は１２個の各キー３５1〜３５12から構成され、これらのキーはそれぞれ電話番号の入力、文字を選択入力するために使用される。第１のキー３５1は「ア」行の文字と数字の「１」を入力するために使用され、第２のキー３５2は「カ」行の文字と数字の「２」、及びアルファベットの「Ａ」、「Ｂ」、「Ｃ」を入力するために使用される。同様に、第３のキー３５3は「サ」行、「３」、「Ｄ」〜「Ｆ」を、第４のキー３５4は「タ」行、「４」、「Ｇ」〜「Ｉ」を、第５のキー３５5は「ナ」行、「５」、「Ｊ」〜「Ｌ」を、第６のキー３５6は「ハ」行、「６」、「Ｍ」〜「Ｏ」を、第７のキー３５7は「マ」行、「７」、「Ｐ」〜「Ｓ」を、第８のキー３５8は「ヤ」行、「８」、「Ｔ」〜「Ｖ」を、第９のキー３５9は「ラ」行、「９」、「Ｗ」〜「Ｚ」を、第１０のキー３５10は「ワ」行と「０」、第１１のキー３５11はトーン記号「＊」を、第１２のキー３５12は記号と「♯」をそれぞれ入力するのに使用される。
【００３４】
文字入力設定キー３６は、電話帳に名前や電話番号を登録する際の文字の入力モード、つまり、仮名、英字、数字等の入力方法を選ぶときに使用される。
【００３５】
次に図２を参照して、コードレス電話機１の機能構成について説明する。なお、図２はコードレス電話機１の内部ブロック図である。コードレス電話機１は、制御手段１００、記憶手段１１０、全検索手段１３０、時短検索手段１４０、全検索／時短検索判別手段１４５、表示制御部１５０、通話制御部１６０、変復調部１７０、無線部１８０、コーデック部１９０を備えて構成されている。
【００３６】
制御手段１００は、ＣＰＵを含み、記憶手段１１０に記憶されたプログラムを実行することによってコードレス電話機１の各部の動作や機能を制御する。記憶手段１１０は、ＲＡＭ或いはＲＯＭを含み、上述したプログラムを記憶しているほか、本発明の電話帳データベース１２０を保持している。
【００３７】
全検索手段１３０は、電話帳データベース１２０を参照しながら、登録されている名前のよみの頭文字（上位桁）を参照し、それが数字のものを抽出して昇順又は降順に並べ替える。さらに、全検索手段１３０は名前のよみの頭文字が日本語のものを抽出して五十音順に並べ替え、次いで英字のもの、記号のあるもの、名前が登録されておらず電話番号のみが登録されているものという順番にそれぞれ抽出し昇順又は降順に並べ替え、これらの情報は表示制御部１５０によってディスプレイ２０に表示させる。
【００３８】
時短検索手段１４０は、電話帳データベース１２０の中から、ダイヤルキー３５によって指定された文字に対応する頭文字をもつ名前の登録先を抽出するとともに、電話帳データベース中で頭文字或いは上位桁に数字や記号を有している名前のものがある場合に順次次位桁を参照して行き、数字や記号以外の文字で最初にでてくる文字がダイヤルキー３５によって指定された文字である場合にそれらのデータを抽出し、並べ替えてこれらの情報を表示制御部１５０によってディスプレイ２０に表示させる。
【００３９】
全検索／時短検索手段１４５は、ユーザによって操作入力キー３０が操作された場合に、押圧されたキーの種類と押圧された時間によってその操作が全検索なのか時短検索の指示なのかを判別する。例えば、全検索／時短検索手段１４５は矢印キー３１又は電話帳検索キー（本実施例では矢印キーで兼用されている）が押圧された場合には全検索操作とみなし、ダイヤルキー３５のいずれかを継続して２秒以上押圧した場合に時短検索の操作であるとみなす。
【００４０】
表示制御部１５０は各種のデータをディスプレイ２０に表示できるように画像処理を行う。
【００４１】
通話制御部１６０は、ユーザによって電話番号が指定され、発信キー３３が押圧された場合に、電話の接続要求を送信したり、或いは電話回線網から接続要求を受信したりした場合にその接続制御を行う。また、通話の際には、マイク５０において入力された音声信号はコーデック部１９０で適切なデータ形式に変換され、さらに通話制御部１６０、変復調部１７０にて適切な信号に変換され、さらに無線部１８０において無線信号として送信される。また、アンテナ（不図示）において受信した無線信号は変復調部１７０、通話制御部１６０、コーデック部１９０を介して音声信号に変換され、スピーカ４０から出力される。
【００４２】
次に図３を参照して、本実施例における電話帳検索方法に使用される電話帳データベース１２０について説明する。なお、図３は電話帳データベースの一例を示す図である。電話帳データベース１２０に登録される項目としては、名前１２１、よみ１２２、電話番号１２３、メモ１２４が設けられる。例えば図３では、名前１２１には、「佐藤」、「１斉藤」、「＃酒井」、「２佐々木」、「山田」、「青木」等が登録されている。また、名前１２１に対応するよみとして、「さとう」、「１さいとう」、「＃さかい」、「２ささき」、「やまだ」、「あおき」が登録されている。ここで、「斉藤」と「佐々木」には名前の前にそれぞれ数字の「１」及び「２」が付加されている。また、「酒井」には「＃」が先頭に付加されている。このように名前の前に数字や記号を付加すると、電話帳の全検索を行った際に、頭文字（上位桁）に数字が使用されているものから表示されることになっているので、「斉藤」や「佐々木」を優先的に表示することができるようになる。なお、この点については後で詳述する。
【００４３】
次に、図４及び図５を参照して本実施例のコードレス電話機１における電話帳検索時の動作について説明する。なお、図４は本実施例のコードレス電話機における電話帳検索のフローチャート、図５は電話帳検索時にディスプレイ２０に表示される検索画面の一例を示す図である。まず、コードレス電話機１は、ステップＳ４０１において、ユーザによるキー操作を待機しており、ユーザがキー操作を行うと（ステップＳ４０１のＹＥＳ）、ステップＳ４０２に進む。ステップＳ４０２では、全検索／時短検索判別手段１４５によって、ユーザにより行われたキー操作が全検索を指示する操作か否かが判別される。例えば、コードレス電話機１の矢印キー３１が押圧された場合にはユーザが全検索の操作を指示したものと判別し（ステップＳ４０２のＹＥＳ）、続くステップＳ４０３に進む。ステップＳ４０３では、全検索手段１３０が電話帳データベース１２０を参照し、電話帳データベース１２０に登録されたそれぞれの名前１２１又はよみ１２２の頭文字、或いは上位桁文字を参照し、この頭文字或いは上位桁文字が数字のもの、仮名（五十音）のもの、英字（アルファベット）のもの、記号のもの、さらには名前が登録されておらず電話番号のみ登録されているもの、の順番でそれぞれ昇順又は降順に並べ替えて表示制御部１５０に出力し、表示制御部１５０によってディスプレイ２０に表示される。図５（ａ）はこの全検索時におけるディスプレイ２０の表示画面の一例である。
【００４４】
この全検索時には、数字のものが優先表示されるようになっているから、電話帳データベース１２０のうち登録した名前の頭文字に数字が付加されているもの、例えば、図４の「１斉藤」、「２佐々木」が最初に抽出されて並べ替えられ、図５に示すディスプレイ２０ではこれらの名前が最上位に表示されている。そして、それらの下には数字が付加されていない仮名の名前のものが昇順に、つまり、「青木」、「佐藤」、「山田」の五十音順に並べ替えられて表示されている。
【００４５】
なお、上記の全検索においては、名前の頭文字又は上位桁文字が数字、仮名、アルファベット、記号、電話番号の昇順に並べ替えられる場合について説明した。例えば、矢印キー３１の上方向矢印キー３11が押圧された場合には上述の順番で並べ替えが行われるようにしたが、本発明はこれに限られるものではない。例えば、下方向矢印キー３12が押圧された場合には電話番号、記号、アルファベット、仮名、数字の順にそれぞれ降順に並べ替えられて表示されるようにしてもよい。
【００４６】
ステップＳ４０２において全検索／時短検索手段１４５がユーザによって行われたキー操作が全検索の指示ではないと判別した場合（ステップＳ４０２のＮＯ）、つまり、コードレス電話機１の矢印キー３１以外が押圧された場合には、ステップＳ４０４に進み、全検索／時短検索手段１４５は、このキー操作が時短検索の指示か否かを判別する。この判別は例えばユーザがダイヤルキー３５の一つを例えば継続して２秒間以上押圧すれば時短検索であるとみなし、その他の操作は時短検索の指示ではないと判断する。キー操作が時短検索ではないと判別された場合、処理はステップＳ４１１に進み、他の処理を実行するがこれについては本発明の範囲外であるから説明は省略する。
【００４７】
ステップＳ４０４においてユーザによる操作が時短検索であると判別された場合（ステップＳ４０４のＹＥＳ）には、ステップＳ４０５において、時短検索手段１４０はユーザによって押圧されたダイヤルキー３５に対応する頭文字を有する名前を電話帳データベース１２０から抽出し、記憶手段１１０に一時記憶させる。次いでステップＳ４０６において、時短検索手段１４０は、電話帳データベース１２０の名前１２１の頭文字又は上位桁文字に数字又は記号が付加されているものを全て参照したか否かを判別し、名前１２１の頭文字に数字又は記号が付加されている未参照のものがあれば（ステップＳ４０６のＮＯ）、ステップS４０８に進み、数字又は記号以外の文字に達するまで次位桁を順次参照していき、数字又は記号以外の文字があれば（ステップＳ４０８のＹＥＳ）、ステップＳ４０９に進む。ステップＳ４０９ではその数字又は記号以外の文字が、ダイヤルキー３５のうちユーザによって押圧されたものに対応する文字か否かを判別し、対応する文字である場合には（ステップＳ４０９のＹＥＳ）、ステップＳ４１０においてこの名前を記憶手段１１０に一時記憶させ、ステップＳ４０６の処理に戻る。ステップＳ４０９において、数字又は記号以外の文字がダイヤルキー３５のうちユーザによって押圧されたものでない場合（ステップＳ４０９のＮＯ）、そのままステップＳ４０６の処理に戻る。ステップＳ４０６で時短検索手段１４０は、電話帳データベース１２０の名前１２１の頭文字又は上位桁文字に数字又は記号が付加されているものを全て参照したか否かを判別し、全ての名前について参照を終えるまで、上記ステップＳ４０８〜Ｓ４１０の処理を繰り返し行う。
【００４８】
ステップＳ４０６において、頭文字に数字又は記号以外の文字が使用されている全ての名前について参照が終了したと判別されると（ステップＳ４０６のＹＥＳ）、ステップＳ４０７に進み、記憶手段１１０に一時記憶された名前を降順又は昇順に並べ替えて名前を表示する。この時短検索時のディスプレイ２０に表示されている検索画面の一例が図５（ｃ）に示されている。図５（ｃ）では、ユーザがダイヤルキー３５の「サ」に対応するキー３５３を押圧した場合にディスプレイ２０に表示される検索画面を示している。ディスプレイ２０には、「佐藤」、「斉藤」、「酒井」、「佐々木」の「サ」行の名前が五十音順に表示されている。ここで、「斉藤」、「佐々木」、「酒井」は、電話帳データベース１２１では、「１斉藤」、「２佐々木」、「＃酒井」は本来の名前の頭文字に数字や記号が付加されて登録されているが、本実施例の時短検索では、この名前の頭文字又は上位桁文字に使用されている数字や記号は無視されて検索が行われ、いずれも「サ」行の名前として検索が行われる。
【００４９】
上記の全検索操作及び時短検索中に、ユーザが特定の名前を選択するか否かが判別される（ステップＳ４１２）。これはユーザがディスプレイ２０上でそこに表示されている特定の名前を選択し、メニュー／決定キー３２を押圧することによって行われる。ユーザが特定の名前を選択すると（ステップＳ４１２のＹＥＳ）、処理はステップＳ４１３に進み、ユーザが選択した名前に対応する電話番号を電話帳データベース１２０から抽出してディスプレイ２０に表示する。図５（ｂ）は全検索時に特定の名前が選択された場合にそれに対応する電話番号がディスプレイ２０に表示されている状態の一例を示しているが、図５（ａ）において「１斉藤」が選択されたために、電話帳データベース１２０に登録された名前１２１である「１斉藤」と電話帳データベース１２０から対応して抽出された電話番号である「□□□−△△□−×○×○」が表示されている。図５（ｄ）は時短検索時に特定の名前が選択された場合にそれに対応する電話番号がディスプレイ２０に表示されている状態の一例を示しているが、図５（ｃ）において「斉藤」が選択され、電話帳データベース１２０に登録された名前１２１である「１斉藤」と電話帳データベース１２０に登録された名前１２１である「１斉藤」から、数字の「１」の部分を除いた「斉藤」と、電話帳データベース１２０から対応して抽出された電話番号である「□□□−△△□−×○×○」が表示されている。
【００５０】
以上で電話帳検索操作は終了であるが、ユーザがここで例えば発信キー３３を押圧すれば、選択された電話番号先に発信することが可能である。
【００５１】
以上、本発明の電話帳検索機能を有する電子機器及び電話帳検索方法について、コードレス電話機を例として説明したが、本発明は上記の実施例に限定されるものではなく、例えば、ファクシミリ、携帯電話機等において実施することも等しく可能である。
【図面の簡単な説明】
【００５２】
【図１】本発明の実施例におけるコードレス電話機の正面図である。
【図２】コードレス電話機１の内部ブロック図である。
【図３】電話帳データベースの一例を示す図である。
【図４】本実施例のコードレス電話機における電話帳検索のフローチャートである。
【図５】電話帳検索時にディスプレイ２０に表示される検索画面の一例を示す図である。
【符号の説明】
【００５３】
１      コードレス電話機
１０      本体
２０      ディスプレイ
３０      操作入力キー
３１      矢印キー
３５      ダイヤルキー
１００      制御手段
１１０      記憶手段
１２０      電話帳データベース
１３０      全検索手段
１４０      時短検索手段
１４５      全検索／時短検索判別手段
【図１】
2009200590.tif 000003
【図２】
2009200590.tif 000004
【図３】
2009200590.tif 000005
【図４】
2009200590.tif 000006
【図５】
2009200590.tif 000007